(57)【要約】      （修正有）【課題】  回送が容易で再度の組立ても簡単な作業で行えるキャスター付きハンガーラックを提供する。【解決手段】  キャスターの付いたベース１と、このベース１上に全体として直方体になるように構成されかつベースに対して取り外し可能に立設されるラック本体Ａとからなり、ラック本体Ａを、ベース１の４個の受穴にそれぞれ嵌め込まれて立設される４本の支柱５と、この支柱５の間に跨って直方体の長辺側をそれぞれ構成するように２本の支柱５にそれぞれ両端側が固定されて支柱５の上方と中間とにそれぞれ位置する固定式長辺側バー７と、支柱５の間に跨って直方体の短辺側をそれぞれ構成するように２本の支柱５に対してそれぞれ両端側が回動可能に枢着されて支柱５の上方と中間とにそれぞれ位置する回動式短辺側バー８とで構成すると共にベース１から各支柱５を抜いて外したときには折り畳まれて全体として扁平状態になる。【選択図】図１
2007061533.tif 000002
【特許請求の範囲】
【請求項１】
衣類をハンガーに吊り下げた状態でコンテナ輸送するときに使用するキャスター付きハンガーラックであって、キャスターの付いたベースと、このベース上に全体として直方体になるように構成されかつベースに対して取り外し可能に立設されるラック本体とからなり、
前記ラック本体を、前記ベースの４個の受穴にそれぞれ嵌め込まれて立設される４本の支柱と、この支柱の間に跨って前記直方体の長辺側をそれぞれ構成するように２本の支柱にそれぞれ両端側が固定されて前記支柱の上方と中間とにそれぞれ位置する固定式長辺側バーと、前記支柱の間に跨って前記直方体の短辺側をそれぞれ構成するように２本の支柱に対してそれぞれ両端側が回動可能に枢着されて前記支柱の上方と中間とにそれぞれ位置する回動式短辺側バーとで構成すると共に前記ベースから各支柱を抜いて外したときには前記回動式短辺側バーの回動によってこれが前記固定式長辺側バーの側に折り畳まれて全体として扁平状態になるようにしたことを特徴とするキャスター付きハンガーラック。
【請求項２】
ベースを平面Ｚ形状とし、かつ各固定式長辺側バーの中間部をそれぞれ支持する２本の補助支柱と、この各補助支柱の下端を両端側で回動可能な状態でそれぞれ担持する受止部材とを設けてこの受止部材を前記ベースのＺ形状の中央に乗せて保持するようにしたことを特徴とする請求項１記載のキャスター付きハンガーラック。
【請求項３】
各固定式長辺側バーの上方に沿って位置するように各支柱の横孔に通して保持したハンガー押さえ棒と、要すればこのハンガー押さえ棒とハンガーとの間に嵌め込まれてハンガーを押さえ込む押さえカバー及びハンガー押さえ棒の中間に通されてこれを保持する止め金具とを備えたことを特徴とする請求項１又は２記載のキャスター付きハンガーラック。
【発明の詳細な説明】
【技術分野】
【０００１】
本発明は、衣類をハンガーに吊り下げた状態でコンテナ輸送するときに使用するキャスター付きハンガーラックに関するものである。
【背景技術】
【０００２】
この種のキャスター付きハンガーラックは、外国、主に中国で生産された衣類をハンガーに吊り下げた状態で日本にコンテナ輸送するときに使用するもので、殆どの場合再使用するために日本から中国へ空の状態で回送されている。
【０００３】
そのために、従来のこの種のキャスター付きハンガーラックは、例えば特許文献１にあるように、前枠体と後枠体とこの前後枠体間に架設支持される４本の支持バーとからなるラック本体により構成されると共に、回送時にはこのラック本体が前後枠体と支持バーとに分解できるようになっている。なお、ラック本体の下側には車輪が設けられていて、この車輪により容易に移動できるようになっている。
【特許文献１】特開２００２−３４７６４号公報
【発明の開示】
【発明が解決しようとする課題】
【０００４】
本発明の解決しようとする問題は、かかる従来のものではラック本体を分解すると、前枠体と後枠体と４本の支持バーの６点になるので、これを回送するときには６点という部数の多さからまとまりが悪く回送しにくいし、さらに多くの場合同時に大量数が分解されて回送されることによりバラバラの部数がさらに多くなってますます回送しにくくなるし、また再度の組立にも自立しない前後枠体を４本の支持バーで連結して組み立てるという作業性の悪さから手間と時間が掛かるという点である。
【課題を解決するための手段】
【０００５】
請求項１の発明は、キャスターの付いたベースと、このベース上に全体として直方体になるように構成されかつベースに対して取り外し可能に立設されるラック本体とからなり、かつ前記ベースの４個の受穴にそれぞれ嵌め込まれて立設される４本の支柱と、この支柱の間に跨って直方体の長辺側をそれぞれ構成するように２本の支柱にそれぞれ両端側が固定されて前記支柱の上方と中間とにそれぞれ位置する固定式長辺側バーと、前記支柱の間に跨って直方体の短辺側をそれぞれ構成するように２本の支柱に対してそれぞれ両端側が回動可能に枢着されて前記支柱の上方と中間とにそれぞれ位置する回動式短辺側バーとで前記ラック本体を構成すると共に前記ベースから各支柱を抜いて外したときには前記回動式短辺側バーの回動によってこれが前記固定式長辺側バーの側に折り畳まれて全体として扁平状態になるようにしたことを特徴とする。
【０００６】
請求項２の発明は、ベースを平面Ｚ形状とし、かつ各固定式長辺側バーの中間部をそれぞれ支持する２本の補助支柱と、この各補助支柱の下端を両端側で回動可能な状態でそれぞれ担持する受止部材とを設けてこの受止部材を前記ベースのＺ形状の中央に乗せて保持するようにしたことを特徴とする。
【０００７】
請求項３の発明は、各固定式長辺側バーの上方に沿って位置するように各支柱の横孔に通して保持したハンガー押さえ棒と、要すればこのハンガー押さえ棒とハンガーとの間に嵌め込まれてハンガーを押さえ込む押さえカバー及びハンガー押さえ棒の中間に通されてこれを保持する止め金具とを備えたことを特徴とする。
【発明の効果】
【０００８】
請求項１の発明は、ラック本体をベースから外した状態では各回動式短辺側バーが回動することによってラック本体を直方体から扁平状態に折り畳めるので、この扁平状態に折り畳んだラック本体とベースとの２点となって回送が容易になるし、たとえ大量数となっても少ない部数にまとまるので回送が煩雑になるということがないし、再度の組立も折り畳み状態から開いて直方体になったラック本体をベースに嵌め込むという簡単な作業で容易に行えるという効果がある。
【０００９】
請求項２の発明は、各補助支柱を設けることにより各固定式長辺側バーの荷重によるしなりがなくなるので、多くのハンガーによって固定式長辺側バーに大きな荷重が掛かってもラック本体が耐えられるようになるという効果がある。
【００１０】
請求項３の発明は、ハンガー押さえ棒と要すれば押さえカバー及び止め金具とを備えることにより、各固定式長辺側バーに引っ掛けられたハンガーの押さえが確実なものになるので、ハンガーが輸送時に固定式長辺側バーから外れて落ちることがないという効果がある。
【発明を実施するための最良の形態】
【００１１】
本発明のハンガーラックは、ベースの４個の受穴にそれぞれ嵌め込まれて立設される４本の支柱と、この支柱の間に跨って直方体の長辺側をそれぞれ構成するように２本の支柱にそれぞれ両端側が固定されて支柱の上方と中間とにそれぞれ位置する固定式長辺側バーと、支柱の間に跨って直方体の短辺側をそれぞれ構成するように２本の支柱に対してそれぞれ両端側が回動可能に枢着されて支柱の上方と中間とにそれぞれ位置する回動式短辺側バーとで構成されるラック本体を、ベースから外したときには回動式短辺側バーの回動によってこれが固定式長辺側バーの側に折り畳めるようにすることにより、上述の効果を実現した。
【実施例１】
【００１２】
請求項１の発明の一実施例を図１〜図４について説明する。図１は使用状態を示す全体斜視図、図２はベースとベースから外して折り畳んだ状態のラック本体とを示す平面図、図３はベースの受穴部分を示す部分縦断の拡大図、図４はラック本体の一部を示す拡大側面図である。
【００１３】
図において、１は４個のキャスター２により移動できるように構成したベース、３はベース１の上面に穿けた４個の受穴、４は各受穴３にそれぞれ嵌め込んで溶接などの手段により固着した軸受部材、５は軸受部材４に下端を挿し込んでベース１上に立設する４本の支柱で、後記する各バーとで全体として直方体となるラック本体Ａを構成する。ベース１に設けたロック杆６を支柱５のロック穴５ａに抜き差しすることによって、支柱５の下端をベース１に着脱可能に固定するようになっている。
【００１４】
次に、７は支柱５の間に跨って前記直方体の長辺側をそれぞれ構成するように２本の支柱５にそれぞれ両端側が固定されて支柱５の上方と中間とにそれぞれ位置する固定式長辺側バー、８は支柱５の間に跨って前記直方体の短辺側をそれぞれ構成するように２本の支柱５に対してそれぞれ両端側が回動可能に枢着されて支柱５の上方と中間とにそれぞれ位置する回動式短辺側バーである。このように４本の支柱５に対して各固定式長辺側バー７及び回動式短辺側バー８をそれぞれ組み立てることにより、直方体のラック本体Ａを構成している。
【００１５】
なお、固定式長辺側バー７の端部は、図４に示すように支柱５の孔に嵌め込んだ状態で溶接などの手段により固着して荷重に対する連結部の強度を維持していると共に、直方体としての全体の形状を強固なものにしている。
【００１６】
図１に示す状態では、各支柱５の下端がそれぞれロック杆６によりベース１に固定されているので、ベース１上にラック本体Ａが強固に直方体として立設される。よって、各固定式長辺側バー７に衣類をハンガーにより吊り下げることができる。この使用状態でキャスター２により移動してコンテナ内に運び込む。
【００１７】
そして、輸送先において、衣類を外してラック本体Ａが空の状態になると、各ロック杆６を外して、各支柱５の下端をベース１から抜き出す。こうしてベース１から外されたラック本体Ａは各回動式短辺側バー８の回動によって固定式長辺側バー７の側に折り畳まれて全体として扁平状態になるので、図２に示す折り畳み状態のラック本体Ａとベース１との２点状態で回送できるようになる。
【００１８】
なお、回送先（輸送元）では、折り畳み状態で返送されてきたラック本体Ａ（図２の状態）を開いて、直方体になったラック本体Ａの各支柱５の下端をベース１の軸受部材４にそれぞれ挿し込み、各ロック杆６により止めれば、簡単に組み立てられる。
【００１９】
上記実施例では固定式長辺側バー７及び回動式短辺側バー８を中間の一カ所に設けてそれぞれを上下二本構造としたものを示したが、中間を上下二カ所の二本としても良いし、全体としての固定式長辺側バー７及び回動式短辺側バー８の数は図示のものに限らないことは勿論である。また、支柱５の下端をベース１の受穴３に着脱可能に固定する構造も図３に示すものに限らないことは勿論である。
【実施例２】
【００２０】
請求項２の発明の一実施例を図１、図４について説明する。各図中前記実施例１と同一または相当部分には同一符号を付して説明を省略する。
図において、９はベース１を平面Ｚ形状とするための渡し部材、１０は各固定式長辺側バー７の中間部をそれぞれ支持する２本の補助支柱、１１は各補助支柱１０の下端を両端側で回動可能な状態でそれぞれ担持する受止部材で、ベース１の渡し部材９に乗っかった状態でベース１上に保持される。
【００２１】
なお、補助支柱１０は、例えば図４に示すように中間位置の固定式長辺側バー７に対しては貫挿状態で溶接などの手段により固着されると共に上方位置の固定式長辺側バー７に対しては突き刺した状態で溶接などの手段により固着されることにより、各固定式長辺側バー７と強固に一体化されている。
【００２２】
よって、各補助支柱１０により各固定式長辺側バー７の荷重によるしなりがなくなるので、多くのハンガーによって固定式長辺側バー７に大きな荷重が掛かってもラック本体Ａが耐えられるようになる。
【００２３】
なお、ラック本体Ａが折り畳まれるときには、各補助支柱１０の下端が受止部材１１の端部内で回動することにより、この各補助支柱１０の移動に受止部材１１が追従（旋回）して無理なく折り畳まれるようになる。
【実施例３】
【００２４】
請求項３の発明の一実施例を図１、図４〜図６について説明する。図５は図４中イ−イ線に沿う拡大断面図、図６は図４中ロ−ロ線に沿う拡大断面図で、各図中前記した実施例１及び実施例２と同一または相当部分には同一符号を付して説明を省略する。
【００２５】
図において、１２は各固定式長辺側バー７の上方に沿って位置するように各支柱５の横孔１３に通して保持したハンガー押さえ棒、１４は固定式長辺側バー７の上方にあってハンガー押さえ棒１２を保持する止め金具、１５はハンガー押さえ棒１２とハンガー１６との間に嵌め込まれてハンガー１６を押さえ込む押さえカバーである。
【００２６】
図１に示すように各固定式長辺側バー７の上方にそれぞれハンガー押さえ棒１２を設けておくと、固定式長辺側バー７に引っ掛けたハンガー１６がこのハンガー押さえ棒１２により押さえ込まれて容易に抜け落ちることがない。さらに、ハンガー押さえ棒１２は、図１、図４に示すように上方位置のものでは各支柱５の両横孔１３に両端側をしっかりと固定されるし、中間位置のものでは各補助支柱１０の横孔１７によっても固定されてよりしっかりと固定される。
【００２７】
図４、図５に示すように止め金具１４を使うと、ハンガー押さえ棒１２の中間部が止め金具１４によりしっかりと保持されるので、固定式長辺側バー７との間隔が広がらずハンガー押さえ棒１２によるハンガー１６への押さえが強固かつ確実なものになって、輸送中の振動によっても容易にハンガー１６が固定式長辺側バー７から抜け落ちることがない。
【００２８】
図４、図６に示すように押さえカバー１５を使うと、ハンガー１６のフックが細い場合でも、この押さえカバー１５を挿入することによってハンガー１６の固定式長辺側バー７からの抜け落ちを防げる。この押さえカバー１５の長さを適宜選べば、固定式長辺側バー７のどの位置であっても、また止め金具１４があっても自在に押さえカバー１５を挿入して使用できる。さらに、止め金具１４も必要に応じてどの位置の固定式長辺側バー７にも使えることは勿論である。
【００２９】
なお、ハンガー押さえ棒１２に対して、止め金具１４を使用したり、押さえカバー１５を使用したり、さらにその両方を使用したりすることは、ハンガー１６の形状や輸送状況、数量などにより総合的に決めれば良い。
【産業上の利用可能性】
【００３０】
本発明は、ハンガーに吊り下げた状態の衣類をコンテナ輸送するときの作業性の向上のために広く活用できる。
【図面の簡単な説明】
【００３１】
【図１】本発明のハンガーラックの一例を示す使用状態の全体斜視図である。
【図２】ベースとベースから外して折り畳んだ状態のラック本体とを示す平面図である。
【図３】ベースの受穴部分を示す部分縦断の拡大図である。
【図４】ラック本体の一部を示す拡大側面図である。
【図５】図４中イ−イ線に沿う拡大断面図である。
【図６】図４中ロ−ロ線に沿う拡大断面図である。
【符号の説明】
【００３２】
１：ベース
２：キャスター
３：受穴
４：軸受部材
５：支柱
６：ロック杆
７：固定式長辺側バー
８：回動式短辺側バー
９：渡し部材
１０：補助支柱
１１：受止部材
１２：ハンガー押さえ棒
１３：支柱の横孔
１４：止め金具
１５：押さえカバー
１６：ハンガー
１７：補助支柱の横孔
【図１】
2007061533.tif 000003
【図２】
2007061533.tif 000004
【図３】
2007061533.tif 000005
【図４】
2007061533.tif 000006
【図５】
2007061533.tif 000007
【図６】
2007061533.tif 000008